(57)【特許請求の範囲】
【請求項１】
第一部材と第二部材とを回動自在に連結するヒンジ装置であって、互いに相対回動自在に設けられる前記第一部材の回動と共に回動する合成樹脂製のカム部と、前記第二部材の回動と共に回動する合成樹脂製のカム係合部とを有し、前記カム部，前記カム係合部の少なくとも一方を係合付勢機構の付勢に抗して係合離反方向へ相対移動自在に設けることで、前記カム部と前記カム係合部との相対回動に際し、前記カム部に設けた凸部と前記カム係合部に設けた凹部とが前記係合付勢機構により付勢されて凹凸係合する落ち込み係合途中において相対回動付勢力が生じるように構成したヒンジ装置において、前記カム部の凸部が前記カム係合部の凹部に凹凸係合する落ち込み係合途中において、前記凸部を支承して該凸部の外方向への変形移動を阻止する変形移動阻止部を前記カム係合部に設け、この変形移動阻止部は、前記カム係合部の外周面に突状体を設けて構成され、この突状体は、前記カム係合部の外周面から突出状態となる突状部を有し、この突状部を、前記第二部材に取り付けられ、前記カム係合部を回り止め状態で設ける取付体に設けたガイド部に係合してスライド自在となるスライド部としたことを特徴とするヒンジ装置。
【請求項２】
前記カム部の凸部が前記カム係合部の凹部に凹凸係合する落ち込み係合途中において、前記凸部の外周面を支承して該凸部の外方向への変形移動を阻止するように前記変形移動阻止部を構成し、前記凸部の外周面を前記カム部の回動方向に湾曲する湾曲面に設定し、且つ、この凸部の外周面と合致するように前記変形移動阻止部の内面を湾曲面に設定したことを特徴とする請求項１記載のヒンジ装置。
【請求項３】
前記請求項１，２のいずれか１項に記載のヒンジ装置を枢着部に設けたことを特徴とするヒンジ装置を用いた電子機器。
【請求項４】
前記第一部材若しくは第二部材としての本体部と、これに重合する前記第二部材若しくは第一部材としての重合部とを重合状態から所定開放角度まで開閉できるように枢着する枢着部に、前記請求項１〜３のいずれか１項に記載のヒンジ装置を用いた電子機器。
【発明の詳細な説明】
【技術分野】
【０００１】
本発明は、ヒンジ装置並びにヒンジ装置を用いた電子機器に関するものである。
【背景技術】
【０００２】
様々なヒンジ装置が提案されているが、携帯電話やノート形パソコンの本体部と重合部（蓋）は、およそ次のような構成のヒンジ装置により枢着されている。
【０００３】
即ち、例えば特開平１１−９８２２８号に開示されるヒンジ装置（以下、従来例）が提案されており、取付ケース体内に回り止め状態に一対の凹部を有するカム係合部を設け、このカム係合部は、前記取付ケース体内に設けた係合付勢バネに抗して取付ケース体内でスライド移動自在に設け、このカム係合部に対向して前記係合付勢バネによりカム係合部の凹部と付勢係合する一対の凸部を有するカム部を設け、このカム部を前記取付ケース体の一側に突出状態に設け、前記本体部，重合部のいずれか一方に前記取付ケース体を固定状態に設け、いずれか他方に前記カム部を固定状態に設け、前記本体部に対して前記重合部を回動させると、前記係合付勢バネに抗して前記カム係合部を離反させつつカム係合部と前記カム部とが係脱して相対回動し、このカム係合部とカム部とが付勢係合した状態では前記本体部に対する前記重合部の回動位置が保持されるように構成している。
【０００４】
従って、例えば本体部と重合部とからなる折畳式の携帯電話の枢着部に具備せしめた場合、本体部に対して重合部を所定角度開放した回動位置ではカム係合によって回動位置がロックされ、また重合閉塞した状態ではカム部に設けた凸部とカム係合部に設けた凹部とはカム係合途中にあり、回動付勢力（吸い込み力）による閉じ付勢が生じるように構成することができる。
【０００５】
【特許文献１】特開平１１−９８２２８号公報
【発明の開示】
【発明が解決しようとする課題】
【０００６】
ところが、従来例は、カム部に設けた各凸部が外方向に変形移動してしまい、良好な回動付勢力（吸い込み力）が得られなくなる場合がある。
【０００７】
即ち、図８，９に図示したように例えば普段使用しない状態（本体部に対して重合部を重合閉塞した状態）において、常にカム部53に設けた各凸部53Ａとカム係合部54に設けた各凹部54Ａとは係合付勢バネ55による係合付勢を受けてカム係合途中（回動付勢力が生じる状態）となるが、この状態で気温の上昇などにより熱が加わることで各凸部53Ａが外方向に変形移動してしまう場合がある。この熱による原因の他にも、各凸部53Ａを構成する素材（樹脂）の劣化が原因となったり、カム部53の凸部53Ａ，カム係合部54の凹部54Ａの磨耗が原因となるなどして変形移動する場合がある。
【０００８】
この各凸部53Ａが外方に変形移動すると、各凹部54Ａに対して各凸部53Ａが設計時に最適とされた位置よりも更に落ち込み方向に回動することになり完全に凹凸係合してしまい、よって、各凹部54Ａに対して各凸部53Ａがカム係合途中となることで得られた回動付勢力（吸い込み力）が無くなる、若しくは弱くなってしまうという問題点がある。
【０００９】
つまり、本体部に対して重合部を重合閉塞した状態及び所定角度回動させた開放状態において、ヒンジ装置による良好な回動付勢力（吸い込み力）が作用しないと、本体部に対する重合部のガタツキが生じてしまうのである。
【００１０】
本発明は、このような問題を解決したもので、従来にない作用効果を発揮する画期的なヒンジ装置並びにヒンジ装置を用いた電子機器を提供するものである。
【課題を解決するための手段】
【００１１】
添付図面を参照して本発明の要旨を説明する。
【００１２】
第一部材１と第二部材２とを回動自在に連結するヒンジ装置であって、互いに相対回動自在に設けられる前記第一部材１の回動と共に回動する合成樹脂製のカム部３と、前記第二部材２の回動と共に回動する合成樹脂製のカム係合部４とを有し、前記カム部３，前記カム係合部４の少なくとも一方を係合付勢機構５の付勢に抗して係合離反方向へ相対移動自在に設けることで、前記カム部３と前記カム係合部４との相対回動に際し、前記カム部３に設けた凸部３Ａと前記カム係合部４に設けた凹部４Ａとが前記係合付勢機構５により付勢されて凹凸係合する落ち込み係合途中において相対回動付勢力が生じるように構成したヒンジ装置において、前記カム部３の凸部３Ａが前記カム係合部４の凹部４Ａに凹凸係合する落ち込み係合途中において、前記凸部３Ａを支承して該凸部３Ａの外方向への変形移動を阻止する変形移動阻止部６を前記カム係合部４に設け、この変形移動阻止部６は、前記カム係合部４の外周面４ａに突状体６Ａを設けて構成され、この突状体６Ａは、前記カム係合部４の外周面４ａから突出状態となる突状部６ｂを有し、この突状部６ｂを、前記第二部材２に取り付けられ、前記カム係合部４を回り止め状態で設ける取付体９に設けたガイド部に係合してスライド自在となるスライド部としたことを特徴とするヒンジ装置に係るものである。
【００１３】
また、前記カム部３の凸部３Ａが前記カム係合部４の凹部４Ａに凹凸係合する落ち込み係合途中において、前記凸部３Ａの外周面３ａを支承して該凸部３Ａの外方向への変形移動を阻止するように前記変形移動阻止部６を構成し、前記凸部３Ａの外周面３ａを前記カム部３の回動方向に湾曲する湾曲面に設定し、且つ、この凸部３Ａの外周面３ａと合致するように前記変形移動阻止部６の内面６ａを湾曲面に設定したことを特徴とする請求項１記載のヒンジ装置に係るものである。
【００１４】
また、前記請求項１，２のいずれか１項に記載のヒンジ装置を枢着部に設けたことを特徴とするヒンジ装置を用いた電子機器に係るものである。
【００１５】
また、前記第一部材１若しくは第二部材２としての本体部と、これに重合する前記第二部材２若しくは第一部材１としての重合部とを重合状態から所定開放角度まで開閉できるように枢着する枢着部に、前記請求項１〜３のいずれか１項に記載のヒンジ装置を用いた電子機器に係るものである。
【発明の効果】
【００１６】
本発明は上述のように構成したから、前述した従来例と異なり、カム部の凸部の外方向への変形移動を阻止することで回動付勢力が無くなる、若しくは、弱くなるようなことはなく、常に良好な回動付勢力が得られることになるなど従来にない作用効果を発揮する画期的なヒンジ装置となる。
【００１７】
また、請求項２記載の発明においては、より一層具体的な構造から確実に良好なカム部の凸部の外方向への変形移動を阻止し得る状態が得られることになるなど従来にない作用効果を発揮する画期的なヒンジ装置となる。
【００１８】
また、請求項３，４記載の発明においては、前述のような作用効果を発揮する極めて実用性に秀れた画期的なヒンジ装置を用いた電子機器を提供できることとなる。
【発明を実施するための最良の形態】
【００１９】
好適と考える本発明の実施形態を、図面に基づいて簡単に説明する。
【００２０】
本発明に係るヒンジ装置を用い、例えば第一部材１と第二部材２との基部同士を枢着する場合、この第一部材１若しくは第二部材２にカム部３を回り止め状態とし、第二部材２若しくは第一部材１にカム係合部４を回り止め状態とする。
【００２１】
このヒンジ装置は、カム部３，カム係合部４の少なくとも一方を係合付勢機構５の付勢に抗して係合離反方向へ相対移動自在に設けることで、カム部３とカム係合部４との相対回動に際し、カム部３に設けた凸部３Ａとカム係合部４に設けた凹部４Ａとが係合付勢機構５により付勢されて凹凸係合する落ち込み係合途中において相対回動付勢力が生じるように構成されている。
【００２２】
従って、例えば本体部と重合部とからなる折畳式の携帯電話の枢着部に具備せしめた場合、本体部１に対して重合部２を所定角度開放した回動位置ではカム係合によって回動位置がロックされ、また重合閉塞した状態ではカム部３に設けた凸部３Ａとカム係合部４に設けた凹部４Ａとはカム係合途中にあり、回動付勢力（吸い込み力）による閉じ付勢が生じることになる。
【００２３】
ところで、本発明は、カム部３の凸部３Ａがカム係合部４の凹部４Ａに凹凸係合する落ち込み係合途中において、凸部３Ａを支承して該凸部３Ａの外方向への変形移動を阻止する変形移動阻止部６を具備している。
【００２４】
例えばこの変形移動阻止部６がない場合、カム部３の凸部３Ａがカム係合部４の凹部４Ａに凹凸係合する落ち込み係合途中において、付勢体７の付勢により凹部４Ａに押圧状態となる凸部３Ａが外方に変形移動することでカム部３とカム係合部４が余計に相対回動してしまう場合があり、よって、カム係合部４に対してカム部３が完全に落ち込み係合した際には回動付勢力（吸い込み力）が無くなってしまう、若しくは、弱くなってしまうという問題点が生じる。
【００２５】
この点、本発明は、この凸部３Ａを支承して該凸部３Ａの外方向への変形移動を阻止する変形移動阻止部６を具備する為、凹部４Ａに対して凸部３Ａが常に良好な位置（設計通りの位置）での係合途中となる状態が得られ、良好な回動付勢力（吸い込み力）が確実に得られることになる。
【００２６】
従って、前述した従来例と異なり、カム部３の凸部３Ａの外方向への変形移動を阻止することで回動付勢力が無くなる、若しくは、弱くなるようなことはなく、常に良好な回動付勢力が得られることになるなど、実用性に秀れた画期的なヒンジ装置並びにヒンジ装置を用いた電子機器となる。
【００２７】
また、前記第一部材１と前記第二部材２とを重合閉塞状態から所定角度回動させた開放状態となるまで回動自在に連結するヒンジ装置であって、前記第一部材１と前記第二部材２との少なくとも重合閉塞状態の際、前記カム部３に設けた凸部３Ａと前記カム係合部４に設けた凹部４Ａとが前記係合付勢機構５により付勢されて凹凸係合する落ち込み係合途中となるように構成し、前記カム部３の凸部３Ａが前記カム係合部４の凹部４Ａに凹凸係合する落ち込み係合途中において、前記凸部３Ａを支承して前記凸部３Ａの外方向への変形移動を阻止するように前記変形移動阻止部６を構成した場合には、特にカム部３の凸部３Ａが外方向へ変形移動する場合が多いと考えられる第一部材１と第二部材２との少なくとも重合閉塞状態において、変形移動阻止部６は確実に凸部３Ａを支承して該凸部３Ａの外方向への変形移動を阻止することになる。
【００２８】
また、第一部材１と前記第二部材２とを重合閉塞状態から開放状態とする回動の際、前記カム部３と前記カム係合部４とが相対回動することで前記カム係合部４の凹部４Ａに対して係合途中から係脱した前記カム部３の凸部３Ａが再び前記凹部４Ａに係合途中となるように設けて、前記第一部材１と前記第二部材２との重合閉塞状態及び開放状態のいずれにおいても相対回動付勢力が生じるように構成し、前記カム係合部４における前記凹部４Ａの側方位置に該カム係合部４の回動方向に所定巾を有する突状体６Ａを設け、この突状体６Ａを、前記第一部材１と前記第二部材２との重合閉塞状態及び開放状態のいずれにおいても前記凸部３Ａを支承して前記凸部３Ａの外方向への変形移動を阻止する前記変形移動阻止部６として構成した場合には、例えば一つの変形移動阻止部６において第一部材１と第二部材２との重合閉塞状態及び開放状態双方の場面において凹部４Ａに対して落ち込み係合途中となる凸部３Ａを支承して該凸部３Ａの外方向への変形移動を阻止することになる。
【００２９】
また、前記凸部３Ａの外周面３ａを前記カム部３の回動方向に湾曲する湾曲面に設定し、且つ、この凸部３Ａの外周面３ａと合致するように前記変形移動阻止部６の内面６ａを湾曲面に設定した場合には、カム部３の凸部３Ａと変形移動阻止部６の内面６ａとの円滑な摺動が達成されることになる為、カム部３の回動に支障を来たすことなく（大きな摩擦抵抗とならず）良好に支承することができる。
【００３０】
また、前記カム部３の凸部３Ａが前記カム係合部４の凹部４Ａに凹凸係合する落ち込み係合途中において、前記凸部３Ａを支承して前記凸部３Ａの外方向への変形移動を阻止する変形移動阻止部６を前記カム係合部４に設け、この変形移動阻止部６は前記カム係合部４の外周面４ａに突出する突状部６ｂを有し、この突状部６ｂを、前記第二部材２に取り付けられ、前記カム係合部４を回り止め状態で設ける取付体９に設けたガイド部に係合してスライド自在となるスライド部とした場合には、変形移動阻止部６に本発明に係るヒンジ装置を構成するに必須の構成を兼用具備せしめた極めて効率の良い構造であり、カム部３における凸部３Ａの外方向への変形移動を阻止する構造を簡易に具備することができる。
【実施例】
【００３１】
本発明の具体的な一実施例について図面に基づいて説明する。
【００３２】
本実施例は、図１に図示したように折畳式の携帯電話の本体部と重合部との枢着部に本発明のヒンジ装置Ｈを設けた場合を示しており、本体部（第一部材１）の基部に取付孔を設けて第一取付部１ａを設け、重合部（第二部材２）の基部に取付孔を設けて第二取付部２ａを設け、この第一取付部１ａと第二取付部２ａとが連通するように本体部（第一部材１）と重合部（第二部材２）との基部同士を組み合わせ、この第一取付部１ａと第二取付部２ａとに棒状のヒンジ装置Ｈが挿入配設されるように構成している。
【００３３】
この第二取付部２ａには回り止め状態にヒンジ装置Ｈに係るケース状の取付体９が挿入係合され、第一取付部１ａには回り止め状態にヒンジ装置Ｈに係るカム部３が挿入係合されるように構成している。
【００３４】
この本実施例のヒンジ装置Ｈについて更に説明する。
【００３５】
回動軸部７を軸に互いに相対回動自在に設けられ、前記本体部１（第一部材）の回動と共に回動する合成樹脂製のカム部３と、前記重合部２（第二部材）の回動と共に回動する合成樹脂製のカム係合部４とを有し、前記カム部３，前記カム係合部４の少なくとも一方を係合付勢機構５の付勢に抗して係合離反方向へ相対移動自在に設けることで、前記カム部３と前記カム係合部４との相対回動に際し、前記回動軸部７を間に配した前記カム部３の内面対向位置（回動方向の１８０度位置）に設けた一対の凸部３Ａと、前記回動軸部７を間に配した前記カム係合部４の内面対向位置（回動方向の１８０度位置）に設けた一対の凹部４Ａとが、前記付勢機構５により付勢されて凹凸係合する落ち込み係合途中において相対回動付勢力が生じるように構成されている。尚、回動軸部７はカム部３若しくはカム係合部４のいずれか一方と一体成形した構造でも良く、また、カム部３に係る凸部３Ａ及びカム係合部４に係る凹部４Ａ夫々の数は２つに限らず、１つでも３つ以上でも良い。
【００３６】
具体的には、重合部２に設けた第二取付部２ａに回り止め状態に挿入係合するケース状の取付体９内に回り止め状態にカム係合部４を設け、このカム係合部４は、前記取付体９内に設けた係合付勢機構５（係合付勢バネ）に抗して取付体９内でスライド移動自在に設け、このカム係合部４に対向して係合付勢バネ５によりカム係合部４と付勢係合するカム部３を設け、このカム部３を前記取付体９の一側に突出状態に設けている。本実施例では、取付体９の内方側に配したカム係合部４の一対の凹部４Ａと係合する一対の凸部３Ａを有するカム部３を回動軸部７を介して連結して取付体９の一側から突出するように構成し、この突出部分が前記本体部１の第一取付部１ａに回り止め状態に挿入係合するように構成している。カム部３は回動軸部７に回り止め状態で被嵌連結され、カム係合部４は回動軸部７に回動可能な状態で被嵌連結されている。尚、各凸部３Ａの内周面は回動軸部７を受ける軸受面に設定されている。
【００３７】
従って、前記本体部１に対して前記重合部２を回動させると、前記係合付勢バネ５に抗して前記カム係合部４を離反させつつカム係合部４の各凹部４Ａに対してカム部３の各凸部３Ａが係脱して相対回動し、このカム係合部４とカム部３とが付勢係合した状態では前記本体部１に対する前記重合部２の回動位置が保持されるように構成している。
【００３８】
即ち、本実施例では、本体部１に対して重合部２を重合閉塞状態から所定角度回動させた開放状態へと回動させると、重合部２の回動に伴って回り止め状態に第二取付部２ａに係合している取付体９が回動し、この取付体９に回り止め状態に内装されているカム係合部４がカム部３に対して回動する。このカム部３は本体部１の第一取付部１ａに回り止め状態に固定されている。
【００３９】
そして、カム部３に対してカム係合部４が回動する際には、カム係合部４は取付体９内において係合付勢バネ５に抗してカム部３から離反移動しつつカム係合が係脱してすり合わせ状態で回動する。このカム係合の形状や係合付勢バネの押圧力の設定によっては、係脱回動位置で手を放せばその位置で重合部２が停止するフリーストップが実現できるように構成することもでき、また係脱した後再びすり合わせ面の傾斜によってカム係合しようとする回動付勢力が生じるように構成しても良い。
【００４０】
即ち、本体部１と重合部２を少し回動した回動範囲ではカム部３がカム係合部４から係脱しきらずに重合閉塞状態となるまで戻り閉じ付勢力が生じるように構成し、この回動範囲を超えて回動すると、カム係合が係脱するが、すり合わせ面の傾斜によって再びカム係合しようと開き付勢力が生じ、自動的に開き回動し、再びカム係合することで開放位置（開放状態）がこのカム係合によって保持される。
【００４１】
つまり、本体部１と重合部２とが重合閉塞した状態では、完全にカム部３の各凸部３Ａとカム係合部４の各凹部４Ａとがカム係合せず、係合途中位置となるように設定することで閉塞状態において閉じ付勢が生じることになり、一方、本体部１と重合部２とが最大限に回動させた開放状態では、完全にカム部３の各凸３Ａとカム係合部４の各凹部４Ａとがカム係合せず、係合途中位置となるように設定することで開放状態において開き付勢が生じることになる。
【００４２】
本実施例では、このようなヒンジ装置Ｈにおいて、カム部３の各凸部３Ａがカム係合部４の各凹部４Ａに凹凸係合する落ち込み係合途中において、各凸部３Ａを支承して該凸部３Ａの外方向への変形移動を阻止する変形移動阻止部６を具備している。
【００４３】
具体的には、前述したように本体部１と重合部２との重合閉塞状態及び開放状態の際、カム部３に設けた各凸部３Ａとカム係合部４に設けた各凹部４Ａとが係合付勢バネ５により付勢されて凹凸係合する落ち込み係合途中となるように構成しているが、このカム部３の各凸部３Ａがカム係合部４の各凹部４Ａに凹凸係合する落ち込み係合途中において、各凸部３Ａを支承して該各凸部３Ａの外方向への変形移動を阻止するように変形移動阻止部６を構成している。
【００４４】
更に具体的には、本体部１と重合部２とを重合閉塞状態から開放状態とする回動の際、カム部３とカム係合部４とが相対回動（約１６０度回動）することでカム係合部４の各凹部４Ａに対して係合途中から係脱したカム部３の各凸部３Ａが再び凹部４Ａに係合途中となるように設けて、本体部１と重合部２との重合閉塞状態及び開放状態のいずれにおいても相対回動付勢力が生じるように構成されているが、カム係合部４の周面所定位置にしてカム係合部４における各凹部４Ａの側方位置に該カム係合部４の回動方向に所定巾を有する突状体６Ａを一体成形し、この突状体６Ａを、本体部１と重合部２との重合閉塞状態及び開放状態のいずれにおいても各凸部３Ａの外周面３ａを支承して該各凸部３Ａの外方向への変形移動を阻止する変形移動阻止部６として構成している。
【００４５】
この変形移動阻止部６を構成する突状体６Ａは、カム係合部４の周面に一体成形されており、カム係合部４の回動方向と直交する放射方向に所定の肉厚を有するように設けられている。尚、変形移動阻止部６（突状体６Ａ）はカム係合部４と別体としても良い。
【００４６】
また、カム部３に係る各凸部３Ａの外周面３ａは、カム部３の回動方向に湾曲する湾曲面に設定され、且つ、この各凸部３Ａの外周面３ａと合致するように変形移動阻止部６（突状体６Ａ）の内面６ａを湾曲面に設定されている。
【００４７】
従って、カム部３は凸部３Ａの外周面３ａに変形移動阻止部６が触れたとしても円滑な摺動となりその回動に支障が生じることは無い。
【００４８】
また、変形移動阻止部６は、カム係合部４の外周面４ａに突出する突状部６ｂを有し、この突状部６ｂを重合部２の第二取付部２ａに取り付けられ、カム係合部４を回り止め状態で収納する取付体９に設けたガイド部９ａ（ガイド凹条若しくはガイド孔）に係合してスライド自在となるスライド部としている。
【００４９】
従って、カム係合部４は、変形移動阻止部６の突状部６ｂと取付体９のガイド部９ａとからなるスライド構造部及び回動軸部７に沿って当該取付体９内を回り止め状態でスライド移動することになり、本体部１に設けられるカム部３と係合離反方向に相対移動自在となる。
【００５０】
本実施例は上述のように構成したから、例えば本体部１と重合部２とからなる折畳式の携帯電話の枢着部に具備せしめた場合、本体部１に対して重合部２を所定角度開放した回動位置ではカム係合によって回動位置がロックされ、また重合閉塞した状態ではカム部３に設けた各凸部３Ａとカム係合部４に設けた各凹部４Ａとはカム係合途中にあり、回動付勢力（吸い込み力）による閉じ付勢が生じることになる。
【００５１】
また、本実施例は、カム部３の各凸部３Ａがカム係合部４の各凹部４Ａに凹凸係合する落ち込み係合途中において、各凸部３Ａを支承して該各凸部３Ａの外方向への変形移動を阻止する変形移動阻止部６を具備している為、各凹部４Ａに対して各凸部３Ａが常に良好な位置での係合途中となる状態が得られ、良好な回動付勢力（吸い込み力）が確実に得られることになる。
【００５２】
よって、本実施例によれば、前述した従来例と異なり、カム部３の各凸部３Ａの外方向への変形移動を阻止することで回動付勢力が無くなる、若しくは、弱くなるようなことはなく、常に良好な回動付勢力が得られることになる。
【００５３】
また、本実施例は、カム係合部４における各凹部４Ａの側方位置に該カム係合部４の回動方向に所定巾を有する突状体６Ａを設け、この突状体６Ａを、本体部１と重合部２との重合閉塞状態及び開放状態のいずれにおいても各凸部３Ａを支承して該各凸部３Ａの外方向への変形移動を阻止する変形移動阻止部６として構成したから、本体部１と重合部２との重合閉塞状態及び開放状態双方において、変形移動阻止部６は確実に各凸部３Ａを支承して該各凸部３Ａの外方向への変形移動を阻止することになる。
【００５４】
また、本実施例は、各凸部３Ａの外周面３ａをカム部３の回動方向に湾曲する湾曲面に設定し、且つ、この各凸部３Ａの外周面３ａと合致するように変形移動阻止部６の内面６ａを湾曲面に設定したから、カム部３の各凸部３Ａと変形移動阻止部６の内面６ａとの円滑な摺動が達成されることになる為、カム部３の回動に支障を来たすことなく（大きな摩擦抵抗とならず）良好に支承することができる。
【００５５】
また、本実施例は、変形移動阻止部６は、カム係合部４の外周面４ａに突出する突状部６ｂを有し、この突状部６ｂを重合部２の第二取付部２ａに取り付けられ、カム係合部４を回り止め状態で収納する取付体９に設けたガイド部９ａに係合してスライド自在となるスライド部としたから、変形移動阻止部６に本実施例に係るヒンジ装置Ｈを構成するに必須の構成を具備した極めて効率の良い構造であり、カム部３の凸部３Ａの外方向への変形移動を阻止する構造を簡易に具備することができる。
【００５６】
尚、本発明は、本実施例に限られるものではなく、各構成要件の具体的構成は適宜設計し得るものである。
【図面の簡単な説明】
【００５７】
【図１】本実施例の使用状態説明図である。
【図２】本実施例を示す斜視図である。
【図３】本実施例の分解斜視図である。
【図４】本実施例に係る要部の分解斜視図である。
【図５】本実施例に係る要部の動作説明図である。
【図６】本実施例に係る要部の動作説明図である。
【図７】本実施例の動作説明図である。
【図８】従来例に係る要部の動作説明図である。
【図９】従来例に係る要部の動作説明図である。
【符号の説明】
【００５８】
１  第一部材
２  第二部材
３  カム部
３Ａ  凸部
３ａ  外周面
４  カム係合部
４Ａ  凹部
４ａ  外周面
５  係合付勢機構
６  変形移動阻止部
６Ａ  突状体
６ａ  内面
６ｂ  突状部
９  取付体
【図１】
0004617360.tif 000002
【図２】
0004617360.tif 000003
【図３】
0004617360.tif 000004
【図４】
0004617360.tif 000005
【図５】
0004617360.tif 000006
【図６】
0004617360.tif 000007
【図７】
0004617360.tif 000008
【図８】
0004617360.tif 000009
【図９】
0004617360.tif 000010